(57)【要約】【目的】壁紙の種類によって発生する裁断刃物付近での浮き上がりを防止し、安定した壁紙の裁断を可能とする壁紙糊付機用スリッターを提供する。【構成】壁紙スリッターに着脱可能に壁紙押え部材３０を設ける。この壁紙押え部材３０は側面視で略コの字状をしており、上刃固定ステー８に簡単に容易に着脱できるように構成している。壁紙糊付機用スリッターに取り付けしたときに、下刃２及び下刃用ボス１４に対して壁紙押え部材３０の壁紙押え部３２が上側から押さえ付けるように位置して、このことによって搬送される壁紙Ａを浮き上がらないように押さえ付けるのである。【選択図】　図２
2004025348.tif 000002
【特許請求の範囲】
【請求項１】
壁紙の送り方向に直交する位置にある取付軸に、壁紙の表面側と裏面側の各々について配置された上刃と下刃との一対の裁断刃を有し、壁紙の送り方向の両側においてこの一対の上刃と下刃とが食い違い状に圧接された壁紙糊付機用スリッターにおいて、刃物で切断する壁紙が刃物付近で浮き上がらないようにするための壁紙押え手段を有することを特徴とする壁紙糊付機用スリッター。
【請求項２】
壁紙押え手段が、側面視で略コの字状の形状を成し、糊付機用スリッターに着脱自在とされ、装着したときに下刃付近において壁紙を下刃に対して押し付ける構造を具備することを特徴とする請求項１記載の壁紙糊付機用スリッター。
【発明の詳細な説明】
【０００１】
【産業上の利用分野】
本発明は、壁紙の裏面に糊を塗布する壁紙糊付機のスリッターに関するものである。
【０００２】
【従来の技術】
従来より、壁紙の貼り付け作業においては、重ね切り施工と突き付け施工という２種類の施工方法が行われている。前者は隣り合う壁紙を重ねて貼り、重なった部分に定規を当て上からカッターで切ることによってジョイント部をきれいにする方法であり、後者は壁紙の両端部を糊付時にスリッターで切っておき、隣り合う壁紙の切断面を突き合わせて施工する方法である。突き付け施工においてはもちろんのこと、重ね切り施工においても壁紙の両端の紙だけの部分を予めスリッターで切っておくということがよく行われている。どちらの方法にしても壁紙を所要の幅に調整するための幅合わせが必要となるため、壁紙の両側を切り落として幅合わせするためのスリッターが使用されてきている。この壁紙糊付機用スリッターについては、これまでにも様々な方式のものが開発され、実用化されてきているが、その代表的なものとしては、図７に示した構成のものが知られている。
【０００３】
このスリッターはフック１９を糊付機本体のステーに引っかけることによって図９及び図１０のように糊付機本体のクロス原反側に取り付けられ、糊付機から歯車によって駆動力を受けて刃物が回転するようになっており、主に上刃１、下刃２、下刃用ボス１４、上刃取付軸１２、１３、下刃取付軸３、ガイドローラー４、押えローラー６、スプリング１５、下刃固定ステー７、上刃固定ステー８、ブラケット５、２０から構成されている。また、この他に、スリッター自体に駆動モータを有して手動糊付機にセットすることもできるタイプのスリッターも知られている。
【０００４】
壁紙糊付機用スリッターは互いに略平行で、壁紙の送り方向に直交する位置にある取付軸に、壁紙の表面側と裏面側の各々について配置された上刃１と下刃２との一対の裁断刃を有し、壁紙の送り方向の両側においてこの一対の上刃１と下刃２とは食い違い状に圧接されており、下刃２の下刃取付軸３にはガイドローラ４が設けられ、ブラケット５によって、下刃取付軸３が下刃固定用ステー７に支持され、また、下刃２の近傍には押え手段としての押えローラ６及びスプリング１５が配置されている。そして、上刃１は上刃取付軸１２、１３に装着され、この上刃１の上刃取付軸１２、１３は両端のフレームと、ブラケット２０を介して上刃固定用ステー８に支持されている。
【０００５】
上刃１の上刃取付軸１２、１３は下刃２の下刃取付軸３に対し、少し傾斜させて取り付けてあり、下刃に対し上刃を傾斜させることにより、当接する上刃１と下刃２にスキマ角を設けると共に１点で接触するようにしている。
【０００６】
また、スリッターには、カッターシール９および目盛板１０等が配置されている。下刃２の下刃取付軸３は、糊付機側より数個の歯車を介して駆動を受け、駆動連結用歯車１１を介して下刃取付軸３に取り付けられた歯車２１によって回転駆動され、右側の上刃１の取付軸１３は、歯車２２を介して回転し、左側の上刃１の上刃取付軸１２は下刃２の下刃取付軸３の回転を左側のフレーム内の歯車（図示せず）を介して上刃１の上刃取付軸１２の歯車（図示せず）に伝達駆動することによって回転するようにしている。（図１１参照）この従来の壁紙糊付機用スリッターでは、押えローラ６と下刃２との間に介在させたスプリング１５により下刃２を上刃１に圧接し、上刃１と下刃２の位置の変更により壁紙の裁断幅を可変としている。
【０００７】
上刃１は上刃取付軸１２、１３に固定されて取付軸と共に回転する。下刃２は図８に示すように下刃用ボス１４に取り付けられ、この下刃用ボス１４には断面Ｄ形状をした穴が開いており、下刃取付軸３は面取りされて断面Ｄ形状の軸となっている。この断面Ｄ形状の下刃取付軸３の角部に下刃用ボス１４のＤ形穴の角が引っかかることにより回り止めとなって下刃取付軸３の回転に伴って下刃２は回転する。そして上刃１と下刃２が回転している部分を壁紙Ａが通過することによって、壁紙が裁断されるのである。
【０００８】
また、裁断刃の所要寸法幅への設定とその固定、そして裁断刃の圧接のためのバネ圧調整を簡便な作業として可能とし、裁断のための準備及び操作を容易にする壁紙用スリッターも特開平１１−１７０１９２号として知られている。
【０００９】
【発明が解決しようとする課題】
種々の提案がなされている壁紙用のスリッターであるが、壁紙の種類によって安定してまっすぐに裁断ができないということが発生していた。それというのも一対の上刃１と下刃２とは食い違い状に圧接された状態で壁紙を切断するのであるが、この上刃１と下刃２の裁断位置において壁紙が安定して搬送されるように押さえるような手段が設けられていないのである。そのために、壁紙の中心付近はガイドローラー４に接しているのに、壁紙端部は下刃２や下刃用ボス１４から少し浮いてしまうという状況が発生していた。
【００１０】
特に厚みの厚い壁紙（織物系の壁紙）等で発生することがあり、上記の状況等が発生してしまうと、切断がうまくいかずに刃物が壁紙に食い込んでしまったり、壁紙がまっすぐに搬送されていてもまっすぐに裁断されないこととなり、壁紙の裁断線が蛇行したり斜めになってしまっていたのである。また上記のような裁断だと裁断面もきれいに裁断されずに粗い裁断面となってしまい、突き付け施工には不具合な裁断面であった。
【００１１】
【課題を解決するための手段】
上記の課題を解決する手段として本発明の請求項１は、壁紙の送り方向に直交する位置にある取付軸に、壁紙の表面側と裏面側の各々について配置された上刃と下刃との一対の裁断刃を有し、壁紙の送り方向の両側においてこの一対の上刃と下刃とが食い違い状に圧接された壁紙糊付機用スリッターにおいて、刃物で切断する壁紙が刃物付近で浮き上がらないようにするための壁紙押え手段を有することを特徴とする壁紙糊付機用スリッターとしている。
【００１２】
裁断する刃物付近での浮き上がりを押え手段によって防止するために、浮き上がりが発生しないため安定した壁紙の裁断ができるようになる。
【００１３】
本件発明の請求項２は、壁紙押え手段が、側面視で略コの字状の形状を成し、糊付機用スリッターに着脱自在とされ、装着したときに下刃付近において壁紙を下刃に対して押し付ける構造を具備することを特徴とする請求項１記載の壁紙糊付機用スリッターとしている。
【００１４】
壁紙押え手段をスリッターに着脱自在に設け、装着した際に下刃付近において壁紙を下刃に対して押し付ける構造を具備することで壁紙の浮き上がりを防止し安定した壁紙の裁断を可能とするものである。
【００１５】
【発明の実施の形態】
本発明の実施の形態を説明する。図１に本発明の実施の形態の１例を示す。図１は壁紙スリッターに着脱可能に設けた壁紙押え部材３０である。壁紙押え部材３０は側面視で略コの字状をしている。この壁紙押え部材３０は、透明や半透明の樹脂製で、その弾性変形を利用して図２及び図３に示すように上刃固定ステー８に簡単に容易に着脱できるようにしている。もちろん不透明な材料でもかまわない。
【００１６】
壁紙押え部材３０の上部にはスリット３１を設け、下部には壁紙押え部３２を設けている。このスリット３１は図２、図４に示すように上刃１がスリット３１に入るようにして上刃１に接するように位置決めできるようにしているのである。このことにより、壁紙Ａの裁断位置を変更するために刃物の位置を移動させるときにでも上刃１と壁紙押え部材３０を一緒に移動させることが容易なのである。壁紙押え部材３０は上刃固定ステー８に取り付けられているとはいえ、横方向のスライドは自由にできるので、このスリット３１の部分をスリッターの目盛板１０を読みとる目安として使用すると目盛も読みとりやすくてよいのである。図４の平面図においては目盛板の目盛は−１に合わせている。もう一方の側の刃物も同じ位置に合わせると壁紙は８８０ｍｍの幅に裁断されるように刃物が位置調整されたこととなる。（両方の刃物が０の位置で９００ｍｍに裁断される構造）
【００１７】
図２に示すように下刃２及び下刃用ボス１４に対して壁紙押え部材３０の壁紙押え部３２が上側から押さえ付けるように位置して、このことによって搬送される壁紙Ａを浮き上がらないように押さえ付けるのである。図２のようにセットされたときは壁紙押え部３２は下刃２又は下刃用ボス１４に少し持ち上げられるような状態、すなわち弾性変形によって常に壁紙を押さえる方向に力が付勢されるという状態となっているのである。
【００１８】
この壁紙を押さえ付ける付勢力は、搬送される壁紙の表面を傷めずに浮き上がりを発生させない程度の力である。そのため特に大きな力は必要ではないので、樹脂の弾性変形で得られる程度の付勢力で充分なのである。この付勢力はまた、壁紙押え部材３０が左右方向にずれないための位置保持の作用も兼ねている。
【００１９】
また、壁紙押え部３２には図５の（ａ）、（ｂ）に示すような構造としてもよい。図１に示した壁紙押え部３２であると壁紙の種類、たとえば発泡系の厚みのある壁紙や、織物系の壁紙によっては壁紙の表面を傷めてしまうことがある。そこで、壁紙押え部３２に壁紙を押さえ付けるための押えローラー３３を配置するのである。この押えローラー３３はウレタンゴム等の適宜な材質を使用して壁紙の表面を傷めないようにして、搬送の最中にはローラーが回転することでより壁紙表面に抵抗がかからないようにして傷みを防ぐように構成したものである。
【００２０】
図５の（ａ）は成型した壁紙押え部に下側からローラーをはめ込むように構成したもので、下側からはめ込むようにしているから、使用中にローラーが脱落してしまうことがないようにしている。図５の（ｂ）は成型した壁紙押え部にローラーを配置して側方からローラー固定の軸を圧入してローラーを取り付けたという構成のものである。このほかローラーの取付方や部材の形状は種々採用することができる。壁紙の表面を傷めないようにするために、固定の板状物ではなく、回転するローラーを配置して表面の痛みを防ぐという技術思想に基づく実施の形態であり、それに類するものは本発明の技術範囲内に含まれる構成である。
【００２１】
また、スリット３１の無い壁紙押え部材３０としてもよい。この実施の形態を図６に示す。図１に示す実施の形態であると左右の壁紙押え部材３０は左右勝手反対の形状をとらねばならないが、図６に示す実施の形態であれば、左右とも同一形状でよくなるため、どちら側かということを気にせずに装着することができる。もちろん図６の壁紙押え部材に図５の押えローラーを採用することができることはいうまでもない。
【００２２】
以上に詳述したように、上刃１と下刃２を食い違い状に圧接したスリッターにおいて、壁紙の搬送に邪魔にならない位置に、着脱可能に切断刃付近の壁紙を押さえる部材を配置したことで課題を解決するというものである。
【００２３】
【発明の効果】
上記に詳述したように、壁紙の浮き上がりを押えることができるため、その結果として安定した壁紙の裁断が可能となるスリッターが実現できるのである。
【図面の簡単な説明】
【図１】本発明の第１の実施形態を示す壁紙押え部材の斜視図
【図２】本発明の第１の実施形態　壁紙押え部材を取り付けた状態を説明する図
【図３】本発明の第１の実施形態　壁紙押え部材を取り付けた状態を説明する図
【図４】本発明の第１の実施形態　壁紙押え部材を取り付けた状態を説明する図
【図５】壁紙押え部の別の実施の形態を説明する図
【図６】本発明の別の実施の形態を説明する図
【図７】従来の壁紙糊付機用スリッターを示す斜視図
【図８】従来の壁紙糊付機用スリッターの刃物部を示す斜視図
【図９】従来の壁紙糊付機用スリッターの取付状態を説明する図
【図１０】従来の壁紙糊付機用スリッターの取付状態を説明する図
【図１１】従来の壁紙糊付機用スリッターの構造を説明する図
【符号の説明】
Ａ　　　壁紙
１　　　上刃
２　　　下刃
３　　　下刃取付軸
４　　　ガイドローラー
５　　　ブラケット
６　　　押えローラー
７　　　下刃固定ステー
８　　　上刃固定ステー
９　　　カッターシール
１０　　　目盛板
１１　　　駆動連結用歯車
１２　　　上刃取付軸
１３　　　上刃取付軸
１４　　　下刃用ボス
１５　　　スプリング
１９　　　フック
２０　　　ブラケット
２１　　　歯車
２２　　　歯車
３０　　　壁紙押え部材
３１　　　スリット
３２　　　壁紙押え部
３３　　　押えローラー
【図１】
2004025348.tif 000003
【図２】
2004025348.tif 000004
【図３】
2004025348.tif 000005
【図４】
2004025348.tif 000006
【図５】
2004025348.tif 000007
【図６】
2004025348.tif 000008
【図７】
2004025348.tif 000009
【図８】
2004025348.tif 000010
【図９】
2004025348.tif 000011
【図１０】
2004025348.tif 000012
【図１１】
2004025348.tif 000013